(57)【特許請求の範囲】
【請求項１】
第１支持手段に防振手段を介して支持された第２支持手段と、前記第２支持手段に支持された第３支持手段と、前記第３支持手段に設けられ、記録媒体を保持して回転させる記録媒体回転手段と、前記第３支持手段に設けられ、前記記録媒体に記録された情報を読み取る記録媒体読み取り手段とを備え、前記第２支持手段を樹脂部材から構成するとともに、前記第３支持手段を金属部材から構成し、前記第３支持手段が支持する前記記録媒体読み取り手段を、ＤＶＤの読み取りを行なうものと、ＣＤの読み取りを行なうものとで交換可能にしたことを特徴とするディスク再生装置。
【請求項２】
前記第２支持手段が前記防振手段と係合するための係合突起を備え、前記係合突起と前記第２支持手段とが一体に形成されたことを特徴とする請求項１記載のディスク再生装置。
【請求項３】
前記第１支持手段は前記ディスク再生装置の筐体をも構成することを特徴とする請求項１または２に記載のディスク再生装置。
【請求項４】
前記ディスク再生装置が車両に搭載されて用いられることを特徴とする請求項１ないし請求項３のいずれかに記載のディスク再生装置。
【発明の詳細な説明】
【０００１】
【発明の属する技術分野】
本発明は、コンパクトディスク（ＣＤ）、デジタルバーサタイルディスク（ＤＶＤ）、等のディスクを再生するためのディスク再生装置、特に車載用のディスク再生装置に関するものである。
【０００２】
【従来の技術】
従来、車載用のディスク再生装置は、例えば特開平１１−３１２３５２号公報に示されるように、金属部材によるメインシャーシと、メインシャーシにダンパおよびダンパバネを介して支持された金属部材によるサスペンションシャーシと、サスペンションシャーシに取付けられたディスク再生機構とを備え、サスペンションシャーシを金属部材から構成することにより、車室内の高温下でも再生機構の精度を保ち安定した再生を行なうとともに、走行時の車両からの振動下でも振動が再生系に伝達するのを防止している。
【０００３】
図６（ａ）〜図６（ｄ）はそれぞれ従来のサスペンションシャーシの平面図、右側面図、左側面図、正面図を示すものである。図６（ａ）〜図６（ｄ）において、サスペンションシャーシ５００は、金属部材から構成され、板金により形成されている。また、サスペンションシャーシ５００には複数の開口部が設けられ、開口部５３０にはディスク状の記録媒体に記録された情報を読み取るピックアップユニットを、開口部５３０の凹部５２０には記録媒体を保持するターンテーブルとこれを回転させるモータをそれぞれ取付けるようになっている。また、開口部５４０にはピックアップユニットを記録媒体の半径方向に移動するためのトラバースモータを、開口部５４５にはトラバースモータの出力を伝達する伝達機構としてのプーリおよびベルトをそれぞれ取付けるようになっている。
【０００４】
また、サスペンションシャーシ５００には、金属部材から構成された係合突起５０１ａ〜５０１ｃがかしめによって設けられており、図示しないメインシャーシに設けられた防振手段（ダンパとバネ）の係合穴と係合するようになっている。
【０００５】
【発明が解決しようとする課題】
しかしながら、高温下の車室内の環境において、熱によりサスペンションシャーシの寸法に歪みが生じ、ピックアップと記録媒体の記録面との距離を一定に保つことができず安定した再生ができないことを防ぐため、従来のディスク再生装置では、サスペンションシャーシを金属部材から構成していたが、ディスク再生装置の重量が重くなってしまうという問題があった。
【０００６】
本発明はこのような問題を解決するためになされたもので、装置全体の軽量化を実現するとともに、高温下の車室内でもピックアップと記録媒体との距離を一定に保ち安定した再生をすることができるディスク再生装置を提供するものである。
【０００７】
【課題を解決するための手段】
本発明のディスク再生装置は、第１支持手段に防振手段を介して支持された第２支持手段と、前記第２支持手段に支持された第３支持手段と、前記第３支持手段に設けられ、記録媒体を保持して回転させる記録媒体回転手段と、前記第３支持手段に設けられ、前記記録媒体に記録された情報を読み取る記録媒体読み取り手段とを備え、前記第２支持手段を樹脂部材から構成するとともに、前記第３支持手段を金属部材から構成したことを特徴とした構成を有している。この構成により、装置全体の軽量化を実現するとともに、高温下の車室内でもピックアップのレンズと記録媒体との距離を一定に保ち安定した再生をすることができることとなる。
【０００８】
また、本発明のディスク再生装置は、前記第２支持手段が前記防振手段と係合するための係合突起を備え、前記係合突起と前記第２支持手段とが一体に形成されたことを特徴とした構成を有している。この構成により、第２支持手段を１つの工程で作成することができるので、生産コストを低減することができることとなる。
【０００９】
また、本発明のディスク再生装置は、前記第１支持手段は前記ディスク再生装置の筐体をも構成することを特徴とした構成を有している。この構成により、第１支持手段がディスク再生装置の筐体を兼用しているので、ディスク再生装置を少ない部品点数で構成することができ、製造コストを削減することができることとなる。
【００１０】
また、本発明のディスク再生装置は、前記第３支持手段が支持する前記記録媒体読み取り手段を、ＤＶＤの読み取りを行なうものと、ＣＤの読み取りを行なうものとで交換可能にしたことを特徴とした構成を有している。この構成により、記録媒体読み取り手段をＤＶＤ用またはＣＤ用に交換するだけで、いずれの記録媒体の読み取りも行なうことができるとともに、その他の構成部品を共通のものにすることができることとなる。
【００１１】
また、本発明のディスク再生装置は、前記ディスク再生装置が車両に搭載されて用いられることを特徴とした構成を有している。この構成により、高温下の車室内でもピックアップのレンズと記録媒体との距離を一定に保ち安定した再生をすることができることとなる。
【００１２】
【発明の実施の形態】
以下、本発明の実施の形態について、図面を用いて説明する。
【００１３】
図１〜図５は本発明に係るディスク再生装置の実施形態を示す図である。
【００１４】
まず、構成を説明する。図１（ａ）〜図１（ｄ）はそれぞれ第２の支持手段であるサスペンションシャーシ１００の平面図、右側面図、左側面図、正面図である。図１（ａ）〜図１（ｄ）において、サスペンションシャーシ１００は樹脂部材により一体的に成形されている。また、サスペンションシャーシ１００は、開口部１１０とねじ取付け穴１１１〜１１５を有しており、開口部１１０には後述する第３の支持手段であるトラバースユニット２００が配置され、ねじ取付け穴１１１〜１１５によってサスペンションシャーシ１００にねじ留めされるようになっている。
【００１５】
また、サスペンシャンシャーシ１００には、係合突起１０１ａ〜１０１ｃがサスペンションシャーシと一体に形成されており、係合突起１０１ａ〜１０１ｃは後述する第１の支持手段であるメインシャーシ４００に設けられた防振手段と係合するようになっている。そして、走行時の車両からメインシャーシに伝わった振動を防振手段が吸収することによって、振動がサスペンションシャーシ１００に伝わるのを防止するようになっている。
【００１６】
図２（ａ）、図２（ｂ）はそれぞれトラバースユニット２００、トラバースユニット３００を示す。トラバースユニット２００はＤＶＤ再生を行なうためのものであり、トラバースユニット３００はＣＤ再生を行なうためのものである。
【００１７】
トラバースユニット２００は記録媒体（図示しない）を保持する記録媒体回転手段であるターンテーブル２２０と、ターンテーブル２２０を回転するスピンドルモータ（図示しないが、図２のターンテーブル２２０の背面に設けられている）と、記録媒体に記録された情報を読み取るピックアップユニット２３０と、ピックアップユニット２３０を記録媒体の半径方向に移動するための移動手段と、再生を行なうための回路基板２５０と、これらのターンテーブル２２０、スピンドルモータ、ピックアップユニット２３０、移動手段、回路基板２５０を支持するトラバースシャーシ２１３とから構成される。
【００１８】
なお、トラバースユニット２００を構成するもののうち、トラバースシャーシ２１０を除いたものを以下、再生機構という。
【００１９】
ターンテーブル２２０は記録媒体の中央部に設けられた開口部に挿入される挿入部２２１を有している。
【００２０】
スピンドルモータはその回転軸がターンテーブル２２０の回転中心と一致するように設けられ減速機構を介さずにターンテーブル２２０を回転させるようになっている。
【００２１】
ピックアップユニット２３０はレンズ２３１と、送りねじ２４１に設けられたねじ溝と噛合するための噛合部２３２と、主軸２４２および副軸２４３と摺接する摺接部２３４、２３３とから構成される。
【００２２】
移動手段はトラバースモータ２４０と、トラバースモータの出力軸と一体に設けられねじ溝が形成された送りねじ２４１と、ピックアップユニット２３０の摺動部２３４、２３３と摺接してピックアップユニット２３０がターンテーブル２２０の半径方向に移動するのをガイドするための主軸２４２および副軸２４３とから構成される。また、トラバースモータ２４０としてはステッピングモータを用いる。
【００２３】
回路基板２５０は再生のための電源供給等を行なうためのもので、コネクタ２５１を有し、このコネクタ２５１によってディスク再生装置のその他の回路と接続されている。
【００２４】
トラバースシャーシ２１０は樹脂部材と比較して温度変化に対する寸法安定性と剛性に優れた金属部材から構成され板金により形成される。
【００２５】
また、トラバースシャーシ２１０は、再生機構を構成するターンテーブル２２０、スピンドルモータ、ピックアップユニット２３０、移動手段、回路基板２５０を支持するものである。
【００２６】
また、トラバースシャーシ２１０は、ねじ取付け穴２１１〜２１５を有しており、ねじ取付け穴２１１〜２１５によってサスペンションシャーシ１００にねじ留めされる。
【００２７】
ＣＤ再生を行なうためのトラバースユニット３００は、再生する記録媒体がＣＤであることと、再生機構を構成する部材の仕様や配置がＤＶＤ再生を行なうためのトラバースユニット２００と異なることの外は基本的にトラバースユニット２００と同様であり詳細な説明を省略する。
【００２８】
なお、トラバースユニット３００は、トラバースシャーシ３１０のターンテーブル取付け部３２０の位置にターンテーブルが取付けられるようになっており、ピックアップユニット３３０、トラバースモータ３４０はこれらを取付けた状態を示している。また、トラバースシャーシ３１０は、ねじ取付け穴３１１〜３１５をトラバースシャーシ２１０と同じ位置関係で有しており、このねじ取付け穴３１１〜３１５によってサスペンションシャーシ１００にねじ留めされる。
【００２９】
図３（ａ）、図３（ｂ）は、それぞれサスペンションシャーシ１００にトラバースユニット２００が取付けられた状態、サスペンションシャーシ１００にトラバースユニット３００が取付けられた状態を示す。すなわち、トラバースシャーシ２００のねじ取付け穴２１１〜２１５と、トラバースシャーシ３００のねじ取付け穴３１１〜３１５はそれぞれ同じ位置関係で設けられているために、サスペンションシャーシ１００には、トラバースユニット２００またはトラバースユニット３００のいずれかを択一的に取付けることができるようになっている。
【００３０】
図４は防振手段４０１ａ〜４０１ｃが取付けられた状態のメインシャーシ４００の平面図を示す。図４において、メインシャーシ４００は金属部材からなり、板金により形成されている。
【００３１】
また、メインシャーシ４００に取付けられた防振手段４０１ａ〜４０１ｃは、略中空状のゴムと中空部の内側に充填されたシリコンを主とする流動体から構成されるとともに中央部に係合穴を有しており、サスペンションシャーシ１００に一体に設けられた係合突起１０１ａ〜１０１ｃとそれぞれ係合するようになっている。
【００３２】
図５はサスペンションシャーシ１００、トラバースユニット２００、メインシャーシ４００が組立られた状態を示す。図５において、サスペンションシャーシ１００は防振手段４０１ａ〜４０１ｃを介して言わばフローティング状態でメインシャーシ４００に支持されており、メインシャーシ４００からの振動がサスペンションシャーシ１００に伝達しないようになっている。また、サスペンションシャーシ１００に一体に形成された回動用突起１０２、１０３はメインシャーシ４００に設けられた回動用凹部（図示しない）にそれぞれ軸支されることにより、サスペンションシャーシ１００は回動用突起１０２、１０３を結ぶ線を軸として所定の角度範囲だけ回動するようになっている。
【００３３】
なお、前述したメインシャーシ４００、サスペンションシャーシ１００、トラバースシャーシ２００、ターンテーブル２２０とスピンドルモータ、およびピックアップユニット２３０はそれぞれ本発明における第１支持手段、第２支持手段、第３支持手段、記録媒体回転手段、記録媒体読み取り手段を構成する。
【００３４】
次に、図２（ａ）に示すトラバースユニット２００および図３、図５に基づいて作用を説明する。
【００３５】
ターンテーブル２２０が記録媒体を保持し、図示しないスピンドルモータがターンテーブル２２０を回転させた状態で、ピックアップユニット２３０に設けられたレンズ２３１が記録媒体にレーザを照射するとともに記録媒体から反射したレーザを受光して記録媒体に記録された情報を読み取る。
【００３６】
トラバースモータ２４０が送りねじ２４１を回転させると、送りねじ２４１に設けられたねじ溝とピックアップユニット２３０に設けられた噛合部２３２との噛合により、ピックアップユニット２３０は、記録媒体の外周部または内周部へとターンテーブル２２０の半径方向、すなわち記録媒体の半径方向、に移動する。ここで、ピックアップユニット２３０は主軸２４２および副軸２４３とそれぞれ摺動部２３４、２３３において摺接しており、記録媒体の回転面に対し並行に設けられた主軸２４２と副軸２４３にガイドされ移動する。金属部材からなり高い剛性と寸法安定性を有するトラバースシャーシ２１０に再生機構が設けられているために、車室内の広範囲な温度変化、特に高温下においても歪みを生ずることなくこれらの取付け精度を保つことができるため、記録媒体の内周部から外周部にわたって、レンズ３１と記録媒体の記録面との距離を一定に保ちながら安定した再生を行なう。
【００３７】
このように本実施形態では、金属部材からなるトラバースシャーシ２１０に再生機構を設け、トラバースシャーシ２１０と再生機構からなるトラバースユニット２００を、樹脂部材からなるサスペンションシャーシ１００に固定することにより、重要な部分はトラバースシャーシとして一体化することで精度と剛性を確保することによって、高温下の車室内でも再生機構が熱により歪みを生じることなくレンズ２３１と記録媒体との距離を一定に保ち安定した再生をすることができる。
【００３８】
また、同一のサスペンションシャーシ１００に、ＤＶＤ用のトラバースユニット２００と、ＣＤ用のトラバースユニット３００、またはその他の再生ユニットを択一的に備えることができるため、すなわちトラバースユニット２００とトラバースユニット３００は互いに交換可能であるため、共通の構成部品を使用することができ生産コストの削減、修理作業の容易化を図ることができる。
【００３９】
また、サスペンションシャーシ１００を樹脂部材により構成しているため、係合突起１０１ａ〜１０１ｃをサスペンションシャーシ１００本体と一体に形成することができるため、生産時の工程数を少なくすることができ生産コストの削減を図ることができる。
【００４０】
また、メインシャーシ４００は、サスペンションシャーシ１００を支持するだけでなく、ディスク再生装置の筐体をも構成するので、メインシャーシ４００とディスク再生装置の筐体を兼用させることにより、ディスク再生装置を少ない部品点数で構成することができるとともに製造コストを削減することができる。
【００４１】
また、サスペンションシャーシ１００が支持するトラバースユニット２００、３００は、ＤＶＤの読み取りを行なうトラバースユニット２００と、ＣＤの読み取りを行なうトラバースユニット３００とで交換可能であるので、トラバースユニット２００、３００を交換するだけで、ＤＶＤとＣＤのいずれの記録媒体の読み取りも行なうことができるとともに、トラバースユニット２００、３００以外の構成部品を共通のものにすることができる。
【００４２】
また、ディスク再生装置が車両に搭載されて用いられるものであるので、高温下の車室内でもピックアップユニット２３０のレンズ２３１と記録媒体との距離を一定に保ち安定した再生をすることができる。
【００４３】
【発明の効果】
以上説明したように、本発明は、サスペンションシャーシ１００を樹脂部材から構成するとともに、トラバースシャーシ２１０を金属部材から構成することにより、装置全体の軽量化を実現するとともに、高温下の車室内でもレンズ２３１と記録媒体との距離を一定に保ち安定した再生をすることができるという優れた効果を有するディスク再生装置を提供することができるものである。
【図面の簡単な説明】
【図１】（ａ）本発明に係るディスク再生装置のサスペンションシャーシの平面図
（ｂ）本発明に係るディスク再生装置のサスペンションシャーシの右側面図
（ｃ）本発明に係るディスク再生装置のサスペンションシャーシの左側面図
（ｄ）本発明に係るディスク再生装置のサスペンションシャーシの正面図
【図２】（ａ）本発明に係るディスク再生装置のＤＶＤ用トラバースユニットの平面図
（ｂ）本発明に係るディスク再生装置のＣＤ用トラバースユニットの平面図
【図３】（ａ）サスペンションシャーシとＤＶＤ用トラバースユニットの組立体の平面図
（ｂ）サスペンションシャーシとＣＤ用トラバースユニットの組立体の平面図
【図４】本発明に係るディスク再生装置のメインシャーシの平面図
【図５】トラバースユニット／サスペンションシャーシ／メインシャーシ組立体の平面図
【図６】（ａ）従来のディスク再生装置のサスペンションシャーシの平面図
（ｂ）従来のディスク再生装置のサスペンションシャーシの右側面図
（ｃ）従来のディスク再生装置のサスペンションシャーシの左側面図
（ｄ）従来のディスク再生装置のサスペンションシャーシの正面図
【符号の説明】
１００    サスペンションシャーシ
１０１ａ〜１０１ｃ    係合突起
１０２、１０３    回動用突起
１１１〜１１５    ねじ取付け穴
２００、３００    トラバースユニット
２１１〜２１５    ねじ取付け穴
２２０    ターンテーブル
２２１    挿入部
２３０    ピックアップユニット
２３１    レンズ
２３２    噛合部
２３３、２３４    摺動部
２４０    トラバースモータ
２４１    送りねじ
２４２    主軸
２４３    副軸
４００    メインシャーシ
４０１ａ〜４０１ｃ    防振手段
【図１】
0004008223.tif 000002
【図２】
0004008223.tif 000003
【図３】
0004008223.tif 000004
【図４】
0004008223.tif 000005
【図５】
0004008223.tif 000006
【図６】
0004008223.tif 000007